(57)【要約】【課題】手袋の上部が使用中にずり落ちてこないようにすると共に、手袋内への通気を良化してむれを生じないような使い易い手袋を得る。【解決手段】プラスチツクフイルム等で作られた手袋本体１の挿入口６の口縁部７の内側８の一部に、貼付材９を設ける。この手袋に手を挿入したら、手の外面に上記貼付材９の粘着剤層１１を貼付ける。この貼付材９によって手袋の挿入口６の部分等がずり下がらない。また、手袋本体１の挿入口６の口縁部７は閉じられないので、通気可能な開放状態を保つことができ、使用中にむれを生じることも少ない。【選択図】        図１
2004238758.tif 000002
【特許請求の範囲】
【請求項１】
手袋本体の挿入口の口縁部の内側の一部に、挿入される手の外面に貼着できる貼付材を設けたことを特徴とする手袋。
【請求項２】
上記手袋本体は手掌部とこれに連続して腕部を覆う腕カバー部を備えており、二枚のプラスチックシートを重ね合わせその周囲を溶断して形成されている請求項１記載の手袋。
【請求項３】
上記貼付材は一面に粘着剤層を備えたプラスチックシートで形成され、該プラスチックシートが挿入口の口縁部の内側に溶着されている請求項２記載の手袋。
【請求項４】
上記貼付材は両面に粘着剤層を備えたシートで形成され、上記一面の粘着剤層が挿入口の口縁部の内側に粘着されている請求項２記載の手袋。
【請求項５】
上記貼付材の挿入される手の外面に貼着できる貼着面は剥離紙で覆われており、該剥離紙は貼着面から剥した後も貼付材と一体的に保持されている請求項１〜４のいずれかに記載の手袋。
【請求項６】
上記剥離紙は、挿入口の口縁側から剥されて内方に保持されている請求項５記載の手袋。
【発明の詳細な説明】
【０００１】
【発明の属する技術分野】
本発明は、手袋の改良に関するものである。
【０００２】
【従来の技術】
近年、大腸菌Ｏ−１５７の感染症の流行等から食品衛生に対する要求が一層高くなり、給食、弁当、惣菜などの調理現場において、従来は素手で行うことが多かった作業もプラスチック製の手袋を嵌めて行うようになっている。
例えば、カットした野菜をドレッシングと混ぜ合わせてフレッシュサラダを作るような場合には、ヘラのような道具を使用して混ぜ合わせるよりも、手で混ぜ合わせた方がよく混り合うし、野菜を潰したり傷めたりすることがなく仕上りもよい。こうした作業をするには手だけでなく腕の部分も覆うような手袋が好ましいけれども、このような手袋では作業中に腕を覆っている部分から自然にずり落ちて来てしまうことがあるので、その上縁部に外側から輪ゴムを嵌めてずり落ちるのを防止するようにしていた。
【０００３】
しかし、こうした手袋の外側から輪ゴムを嵌める作業は煩雑であるし、確実性にも欠けるところから、手袋の上縁の開口端部を折返して環状の筒袋を形成し、この筒袋内にゴム紐を環状に挿入して伸縮自在の絞り部を形成したり、開口端部にゴムバンドを取付けるものなどが提供されてきた（特許文献１、２）。
このゴムバンドを予め取付けたものは、手袋がずり落ちることを防止することができるが、開口部が絞られているので手に嵌め難いし、伸縮性のゴムバンドを開口部に取付ける作業が煩雑である。また、手袋を嵌めたときに上縁部が腕に接するように絞られて開口が閉じられるので、通気が妨げられ、むれを生じる原因となっている。
【０００４】
【特許文献１】
実開昭５８−１５５３１６号公報
【特許文献２】
特開２００１−１８１９１１公報
【０００５】
【発明が解決しようとする課題】
本発明は、手袋の上部が使用中にずり落ちてこないようにすると共に、手袋内への通気を良化してむれを生じないような使い易い手袋を得ようとするものである。
【０００６】
【課題を解決するための手段】
本発明は、手袋本体の挿入口の口縁部の内側の一部に貼付材を設け、手袋に挿入した手の外面に上記貼付材の貼着面を貼付けることにより、手袋の挿入口の部分がずり下がらず、かつ通気可能な開放状態を保つことができるようにするものである。
【０００７】
【発明の実施の形態】
プラスチックフイルム、ゴムシートその他の材料で、手袋本体１形成する。図示するものは、手掌部２と腕部を覆う腕カバー部３を薄いポリエチレンフイルム４を二枚重ね合わせて溶断５することにより一体に形成している。この場合、上記ポリエチレンフイルム４に細かなエンボス状の凹凸を形成し、その凹凸面が外面になるようにして手袋を形成すれば、物をつかむときに滑ることも少なく確実につかむことができる。
【０００８】
この手袋本体１の腕カバー部３の挿入口６の口縁７の内側８の一部には、適宜の数の貼付材９を設けている。図示の貼付材９は、発泡ポリエチレンシート１０の一面に粘着剤層１１を形成したものであり、貼付材の粘着剤層１１の上を剥離紙１２で覆っている。この発泡ポリエチレンシート１０は腕カバー部３の口縁７の内側８に当接し、ヒートシール１３によって取付けている。
【０００９】
図示の貼付材９は、腕カバー部３の口縁７で対向するように２個所に取付けられているが、２つの貼付材９上の剥離紙１２側を重ね合わせて口縁部７の内側８に挿し入れ、腕カバー部３の外方の両側からヒートシールバーを当ててヒートシールすると、貼付材９の取付け作業が容易かつ確実に行うことができる。
【００１０】
上記手袋本体１の腕カバー部３の挿入口６から手を通して手掌部２に差入れると、腕カバー部３が腕１４を覆うようになるので、口縁部７に取付けられている貼付材９上の剥離紙１２を剥して取り除き、粘着剤層１１を腕部の衣服等の外面に貼付けると口縁部７が係止され、作業中にも手袋はずり下がって来ることがない。
また、腕カバー部３の口縁部７は貼付材９のある一部分でしか腕部１４に係止されておらず、他の部分は腕部１４と離れてスペース１５が形成されているので、このスペースから自由に空気が出入りし、通気性に乏しい手袋であっても作業中に手が蒸れることが少なく快適に使用することができる（図４）。
【００１１】
図５、図６に示すものは、貼付材９の粘着剤層１１を覆う剥離紙１２の下端に折返部１６を設け、少なくともこの折返部１６を非剥離性等として粘着剤層１１に貼り付けたものであり、挿入口６の口縁部７側から剥離紙１２を剥しても、剥された剥離紙は上記折返部１６において連結状態を保っているので、粘着剤層１１から剥がした剥離紙が離れて他の物に混入したりすることが無く、安全である。
【００１２】
図７に示すものは、帯状のプラスチツクシート１７の一面に粘着剤層１８を形成したものを、これよりやや幅広の両面剥離性の剥離紙１９の一面に仮着し、この剥離紙１９の他面にも上記と同じく帯状のプラスチツクシート１７の一面に粘着剤層１８を形成したものを仮着した帯状体２０である。
【００１３】
こうした帯状体２０を適当な長さにカット３２して、このカットした幅広の剥離紙の両面に貼付材９をそなえたもの３３を、図８に示すように手袋の挿入口６の口縁部７の内側に挿入して、手袋の両外方側からヒートシール１３すれば、２つの貼付材９を同時に手袋に取り付けることができる。
【００１４】
これを使用するときには、広幅の剥離紙１９の突出部３９を摘んで手袋の口縁部７を広げるようにすれば、一方の粘着剤層１８が露出されるので手袋内に手を挿入し、次に他方の粘着剤層から剥離紙１９を剥がして、腕部に貼付けることができる。
また、上記した各貼付材をヒートシールにより手袋に取り付ける方法に代えて、両面粘着シートを使用したりすることにより、その粘着剤層によって同様に手袋に貼付材を設けることができる。
【００１５】
図９のものは、発泡プラスチツクシート２１の両面に粘着剤層２２、２３を設けた貼付材２０であり、ポリエチレンフイルム等の剥離紙２４の折返部２５を腕カバー部３と粘着剤層２２の下方部との間に挿入して固定し、この剥離紙２４で粘着剤層２３を覆うと共に、対向位置にある発泡プラスチツクシート２７の両面に粘着剤層２８、２９を設けた貼付材２６の粘着剤層２９も同様に覆うようにしたものである。
【００１６】
これは、上記剥離紙２４の両面に貼付材２０と貼付材２６を仮着しておき、腕カバー部の挿入口６の口縁部７の内側８に他面の粘着剤層２２、２８で貼り付ければ、容易に取付けることができる。また、この剥離紙２４は粘着剤層から剥した後でも上記と同様に手袋の内側に保持しておくことができる。
上記した各手袋は腕カバー部が長いものについて述べてきたが、これが短いものでも同様にできる。
【００１７】
【発明の効果】
本発明は上記したように、手袋に手を差入れ貼付材を腕部に貼付けるだけで、きちんとした装着状態を維持して、手袋がずり下がってぬげたりすることが無いし、手袋の挿入口の口縁は広く開いているので空気の流通が妨げられることがなく、手が蒸れたりせず快適に使用することができる。
【図面の簡単な説明】
【図１】本発明の実施例の斜視図である。
【図２】図１の挿入口の内側を示す一部拡大断面図である。
【図３】図２の貼付材の部分の一部拡大断面図である。
【図４】使用の状態を示す説明図である。
【図５】本発明の他の実施例の貼付材の部分を示す一部拡大断面図である。
【図６】図５の剥離紙を剥した状態の一部拡大断面図である。
【図７】本発明の他例に使用する貼付材の帯状体の一部省略斜視図である。
【図８】図７の帯状体をカットして作成した貼付材を手袋に取り付けた一部拡大断面図である。
【図９】本発明の更に他の実施例の貼付材の部分を示す一部拡大断面図である。
【符号の説明】
１  手袋本体
２  手掌部
３  腕カバー部
４  ポリエチレンフイルム
５  溶断部
６  手袋の挿入口
７  挿入口の口縁
８  口縁の内側
９  貼付材
１０  発泡ポリエチレンシート
１１、１８、２２、２３、２８、２９  粘着剤層
１２、１９、２４  剥離紙
１３  ヒートシール
１４  腕部
１６、２５  剥離紙の折返部
【図１】
2004238758.tif 000003
【図２】
2004238758.tif 000004
【図３】
2004238758.tif 000005
【図４】
2004238758.tif 000006
【図５】
2004238758.tif 000007
【図６】
2004238758.tif 000008
【図７】
2004238758.tif 000009
【図８】
2004238758.tif 000010
【図９】
2004238758.tif 000011